(57)【要約】【課題】片手で蓋体を開閉することができる容器の蓋体構造を提供する。【解決手段】容器の蓋体構造は、下蓋体１、上蓋体２及びロック機構３を備える。下蓋体１は、容器本体の瓶口に取り付けられる。上蓋体２は、開閉可能に下蓋体１に枢着されるとともに、下蓋体１と、容器本体の瓶口に取り付けられた出水座４の注ぎ口４１とを同時に覆い、ロック機構３は、上蓋体２と下蓋体１との間に配設される。ロック機構３は、第１のロック座３１、第２のロック座３２及び摺動ロックピン３３を含む。第１のロック座３１は、上蓋体２に組立てられる。第２のロック座３２は、第１の位置と第２の位置との間で横方向へ弾性変位可能に下蓋体１上に取り付けられる。摺動ロックピン３３は、第３の位置と第４の位置との間で上下摺動可能に第２のロック座３２上に取り付けられる。摺動ロックピン３３には、爪部３３１が設けられる。【選択図】図１
0003205180.tif 000002
【実用新案登録請求の範囲】
【請求項１】
下蓋体、上蓋体及びロック機構を備えた容器の蓋体構造であって、
前記下蓋体は、容器本体の瓶口に取り付けられ、
前記上蓋体は、開閉可能に前記下蓋体に枢着されるとともに、前記下蓋体と、前記容器本体の瓶口に取り付けられた出水座の注ぎ口とを同時に覆い、
前記ロック機構は、前記上蓋体と前記下蓋体との間に配設され、
前記ロック機構は、第１のロック座、第２のロック座及び摺動ロックピンを含み、前記第１のロック座は、前記上蓋体に組立てられ、前記第２のロック座は、第１の位置と第２の位置との間で横方向へ弾性変位可能に前記下蓋体上に取り付けられ、前記摺動ロックピンは、第３の位置と第４の位置との間で上下摺動可能に前記第２のロック座上に取り付けられ、
前記摺動ロックピンには、爪部が設けられ、
前記第１のロック座の前記爪部に対応した箇所には凹溝が形成され、前記摺動ロックピンが第３の位置にあるときに、前記爪部が前記凹溝内に対応して嵌挿され、前記摺動ロックピンが第４の位置にあるときに、前記爪部が前記凹溝から外れ、
前記第１のロック座は、第１のフックを有し、
前記第２のロック座は、前記第１のフックに対応した第２のフックを有し、
前記第１のフックと前記第２のフックとは、前記第２のロック座が第１の位置にあるときに互いに対応するように係合され、前記第２のロック座が第２の位置にあるときに互いに外れてアンロックされ、前記第２のロック座は、前記摺動ロックピンが第４の位置にあるときに第２の位置へ移動することを特徴とする、
容器の蓋体構造。
【請求項２】
前記第２のロック座の貫通槽の端面に対向した相対面上には、陥没槽が形成され、前記陥没槽内には、前記摺動ロックピンが収容されることを特徴とする請求項１に記載の容器の蓋体構造。
【請求項３】
前記陥没槽の左右両側壁には、摺動溝がそれぞれ形成され、前記摺動溝内には、第１の突起部が設けられ、前記第１の突起部の前記摺動溝は、第３の位置と第４の位置とに区分され、前記摺動ロックピンの左右両側壁には、第２の突起部が設けられ、前記第２の突起部は、前記摺動溝内に位置するとともに、上方又は下方へ変位して前記第１の突起部を越えて第３の位置又は第４の位置へ達することを特徴とする請求項２に記載の容器の蓋体構造。
【考案の詳細な説明】
【技術分野】
【０００１】
本考案は、容器の蓋体構造に関し、特に、片手で蓋体を開閉することができる容器の蓋体構造に関する。
【背景技術】
【０００２】
従来の容器蓋体は、蓋体上に設けられたねじ部を有し、容器本体の瓶口にもねじ部が設けられている。蓋体は、容器本体の瓶口を覆うように設けられ、蓋体のねじ部を容器本体のねじ部にねじ込み、容器本体上に蓋体を螺着すると、容器本体内の液体が漏れ出ることを防ぐことができる。
しかし、このようなねじ部同士を螺着する方式では、開閉動作を両手で行わなければならず、片手で蓋体を開閉することは困難であった。
【０００３】
一般に市販されている容器蓋体は、リング座、上蓋及び係合部材を含む。リング座は、容器本体の瓶口に取り付けられ、上蓋とリング座とが枢着され、係合部材は、リング座と上蓋との間に設けられ、上蓋が閉じられた状況下で、係合部材を押圧すると上蓋を撥ね上げて開くことができる。
しかし、係合部材には、ロック機構が全く設けられていないため、係合部材への不用意な接触による誤作動により上蓋が不用意に開き、容器本体内の飲み物が流れ出てしまう虞があった。
【０００４】
上述した従来の容器蓋体が片手で操作することができなかったり、容器本体を片手で操作することができる場合でも、誤ってボタンに触れると上蓋が回転されて開き、飲み物が流れ出てしまう虞があった。そのため、ユーザが片手で弧状線で撥ね上げ操作を行うことができるとともに、蓋体に設けられた安全ロック機構により容易に使用でき、ユーザが誤ってボタンに触れて上蓋が開き、飲み物が流れ出てしまうことを防ぐ技術が求められていた。
【考案の概要】
【考案が解決しようとする課題】
【０００５】
本考案の目的は、ユーザが片手で容易に蓋体を開閉することができ、ユーザが開閉ボタンに不用意に触れてしまっても、上蓋が回転されて開いて飲み物が流れ出てしまうことを防ぐ安全ロック機構を有する、容器の蓋体構造を提供することにある。
【課題を解決するための手段】
【０００６】
上記課題を解決するために、本考案の第１の形態によれば、下蓋体、上蓋体及びロック機構を備えた容器の蓋体構造であって、前記下蓋体は、容器本体の瓶口に取り付けられ、前記上蓋体は、開閉可能に前記下蓋体に枢着されるとともに、前記下蓋体と、前記容器本体の瓶口に取り付けられた出水座の注ぎ口とを同時に覆い、前記ロック機構は、前記上蓋体と前記下蓋体との間に配設され、前記ロック機構は、第１のロック座、第２のロック座及び摺動ロックピンを含み、前記第１のロック座は、前記上蓋体に組立てられ、前記第２のロック座は、第１の位置と第２の位置との間で横方向へ弾性変位可能に前記下蓋体上に取り付けられ、前記摺動ロックピンは、第３の位置と第４の位置との間で上下摺動可能に前記第２のロック座上に取り付けられ、前記摺動ロックピンには、爪部が設けられ、前記第１のロック座の前記爪部に対応した箇所には凹溝が形成され、前記摺動ロックピンが第３の位置にあるときに、前記爪部が前記凹溝内に対応して嵌挿され、前記摺動ロックピンが第４の位置にあるときに、前記爪部が前記凹溝から外れ、前記第１のロック座は、第１のフックを有し、前記第２のロック座は、前記第１のフックに対応した第２のフックを有し、前記第１のフックと前記第２のフックとは、前記第２のロック座が第１の位置にあるときに互いに対応するように係合され、前記第２のロック座が第２の位置にあるときに互いに外れてアンロックされ、前記第２のロック座は、前記摺動ロックピンが第４の位置にあるときに第２の位置へ移動することを特徴とする容器の蓋体構造が提供される。
【０００７】
前記第２のロック座の貫通槽の端面に対向した相対面上には、陥没槽が形成され、前記陥没槽内には、前記摺動ロックピンが収容されることが好ましい。
【０００８】
前記陥没槽の左右両側壁には、摺動溝がそれぞれ形成され、前記摺動溝内には、第１の突起部が設けられ、前記第１の突起部の前記摺動溝は、第３の位置と第４の位置とに区分され、前記摺動ロックピンの左右両側壁には、第２の突起部が設けられ、前記第２の突起部は、前記摺動溝内に位置するとともに、上方又は下方へ変位して前記第１の突起部を越えて第３の位置又は第４の位置へ達することが好ましい。
【考案の効果】
【０００９】
本考案の容器の蓋体構造は、以下（１）〜（４）の効果を有する。
（１）ロック機構は、摺動ロックピンを介して第１のロック座及び第２のロック座を係合し、ロック機構は二重ロック機能を備えた開閉ボタンを有し、ユーザが開閉ボタンに誤って触れた場合でも上蓋体が不用意に開いてしまうことを防ぐ。
（２）摺動ロックピンのロック状態を解除した後に、第１のロック座と第２のロック座とをアンロックする際、ボトル本体の弧線方向に沿って第２のロック座を軽く撥ね上げるだけで上蓋体を開くことができるため、操作が非常に容易である。ボトル本体の弧線方向に沿って操作する方式は、ユーザがロック栓を摺動してロックすることを忘れた場合でも、第２のロック座に誤って触れて上蓋体が不用意に開いてしまうことを防ぐことができる。
（３）摺動ロックピンは、掛止機能を有して取付けが容易な弾性スライダーである。
（４）上蓋体を閉じるとロック機構により上蓋体が自動的にロックされる。
【図面の簡単な説明】
【００１０】
【図１】本考案の一実施形態に係る容器の蓋体構造及び出水座を示す正面分解斜視図である。
【図２】本考案の一実施形態に係る容器の蓋体構造を示す背面分解斜視図である。
【図３】本考案の一実施形態に係る容器の蓋体構造の上蓋体が下蓋体に被着されてロックされたときの第１のロック座、第２のロック座及び摺動ロックピンの関係を示す断面図である。
【図４】本考案の一実施形態に係る容器の蓋体構造の上蓋体が下蓋体に被着されてロックされたときの第１のロック座、第２のロック座及び摺動ロックピンの関係を示す正面図である。
【図５】本考案の一実施形態に係る容器の蓋体構造の上蓋体が下蓋体に被着されてロックされたときの第１のロック座、第２のロック座及び摺動ロックピンの関係を示す平面図である。
【図６】本考案の一実施形態に係る容器の蓋体構造は、摺動ロックピンを下方へ押動した後の第１のロック座、第２のロック座及び摺動ロックピンの関係を示す断面図である。
【図７】本考案の一実施形態に係る容器の蓋体構造は、摺動ロックピンを下方へ押動した後の第１のロック座、第２のロック座及び摺動ロックピンの関係を示す正面図である。
【図８】本考案の一実施形態に係る容器の蓋体構造は、第２のロック座を横方向へ押動した後の第１のロック座、第２のロック座及び摺動ロックピンの関係を示す平面図である。
【図９】本考案の一実施形態に係る容器の蓋体構造は、第２のロック座を横方向へ押動した後の第１のロック座、第２のロック座及び摺動ロックピンの関係を示す正面図である。
【図１０】本考案の一実施形態に係る容器の蓋体構造の上蓋体を開いたときの状態を示す断面図である。
【考案を実施するための形態】
【００１１】
以下、本考案の実施形態について図に基づいて説明する。なお、これによって本考案が限定されるものではない。
【００１２】
図１及び図２を参照する。図１は、本考案の一実施形態に係る容器の蓋体構造及び出水座を示す正面分解斜視図である。図２は、本考案の一実施形態に係る容器の蓋体構造を示す背面分解斜視図である。
【００１３】
図１及び図２に示すように、本考案の一実施形態に係る容器の蓋体構造は、少なくとも下蓋体１、上蓋体２及びロック機構３から構成されてなる。
【００１４】
下蓋体１は、容器本体（図示せず）の瓶口に取り付けられる。上蓋体２は、開閉可能に下蓋体１に枢着され、上蓋体２が下蓋体１と、容器本体の瓶口に取り付けられた出水座４の注ぎ口４１とを同時に覆う。ロック機構３は、上蓋体２と下蓋体１との間に配設される。
【００１５】
ロック機構３は、第１のロック座３１、第２のロック座３２及び摺動ロックピン３３を含む。第１のロック座３１は、上蓋体２に組立てられ、第２のロック座３２は、下蓋体１に組立てられ、第２のロック座３２が下蓋体１上の第１の位置と第２の位置との間で横方向へ弾性変位可能である。
第１の位置は、第２のロック座３２がロック位置にあることを示し、第２の位置は、第２のロック座３２がアンロック位置にあることを示す。摺動ロックピン３３は、第２のロック座３２上に取り付けられるとともに、摺動ロックピン３３が第２のロック座３２上の第３の位置と第４の位置との間で上下方向で摺動変位する。第３の位置は、摺動ロックピン３３がロック位置にあることを示し、第４の位置は、摺動ロックピン３３がアンロック位置にあることを示す。
【００１６】
上蓋体２は、下蓋体１へ向いた開口を有する収容室２１を含む。収容室２１内には、第１のロック座３１が収容される。枢軸２２は、収容室２１の左右側壁と、第１のロック座３１とに横方向で挿通され、第１のロック座３１が収容室２１内に枢着される。
第１の弾性部材２３は、収容室２１の前側壁と第１のロック座３１の第１の端部との間に取り付けられ、第１のロック座３１の第１の端部の対向する第２の端部は弾性を有する。第１のロック座３１には、第１のフック３１１及び凹溝３１２が設けられる。第１のフック３１１及び凹溝３１２は、第１のロック座３１の第２の端部に位置する。第１のフック３１１は、上蓋体２の収容室２１から突出されて露出される。
【００１７】
第２のロック座３２は、第１のロック座３１の第１のフック３１１に対応した第２のフック３２１を有する。第１のフック３１１及び第２のフック３２１は、第２のロック座３２が第１の位置Ｓ１に位置する際、互いに対応するように係合され、第１のフック３１１及び第２のフック３２１は、第２のロック座３２が第２の位置Ｓ２に位置する際、外れて開錠されるとともに、第２のロック座３２は、摺動ロックピン３３が第４の位置にあるときにだけ、第１の位置から第２の位置へ移動する。
【００１８】
下蓋体１の壁面には、貫通槽１１が形成され、第２のロック座３２の貫通槽１１に対向した端面上には、互いに対応した２つの係合部３２２が設けられる。２つの係合部３２２は、貫通槽１１に挿入されて貫通槽１１の上下周縁に掛止され、第２のロック座３２が下蓋体１に組立てられる。
２つの係合部３２２間には、空間３２３が形成される。空間３２３内には、第２の弾性部材３２４が収容される。第２の弾性部材３２４の両端は、貫通槽１１の側壁と、第２のロック座３２の側壁とにそれぞれ当接され、第２のロック座３２は、横方向へ弾性変位可能である。また、貫通槽１１の側壁上には、位置決め凸部１１１が突設される。第２の弾性部材３２４は、一端が位置決め凸部１１１に外嵌されて位置決めされる。
【００１９】
第２のロック座３２の貫通槽１１の端面に対向した相対面上には、陥没槽３２５が形成されている。陥没槽３２５内には、摺動ロックピン３３が収容される。
【００２０】
第２のロック座３２の陥没槽３２５の左右両側壁には、摺動溝３２６がそれぞれ形成される。摺動溝３２６内には、第１の突起部３２７が設けられる。第１の突起部３２７の摺動溝３２６は、第３の位置と第４の位置とに区分され、摺動ロックピン３３の左右両側壁には、第２の突起部３３２が設けられる。摺動ロックピン３３が陥没槽３２５内に組み合わされると、第２の突起部３３２が摺動溝３２６内に位置し、上方又は下方へ第１の突起部３２７を越えて第３の位置又は第４の位置へ達する。
【００２１】
摺動ロックピン３３には、爪部３３１が設けられる。爪部３３１が第１のロック座３１の凹溝３１２に対応し、摺動ロックピン３３が第３の位置にあるとき、爪部３３１が凹溝３１２内に対応して嵌挿されてロック状態となる。摺動ロックピン３３が第４の位置にあるとき、爪部３３１が凹溝３１２から外れてアンロック状態となる。
【００２２】
図３〜図５を参照する。
図３〜図５に示すように、同時に上蓋体２により下蓋体１と、容器本体の瓶口に取り付けられた出水座４の注ぎ口４１との蓋が閉じられた状態になると、第２のロック座３２の第２のフック３２１が第１の位置に位置し、第１のロック座３１の第１のフック３１１と第２のロック座３２の第２のフック３２１とが対応して係合され、上蓋体２と下蓋体１とがロック状態になるとともに、摺動ロックピン３３が第３の位置に位置し、摺動ロックピン３３の爪部３３１が第１のロック座３１の凹溝３１２中に対応するように嵌挿され、第２のロック座３２がロックされるため、移動させて上蓋体２と下蓋体１とのロック状態を解除することはできない。
【００２３】
図６〜図１０を参照する。
図６〜図１０に示すように、上蓋体２を開く際、まず、摺動ロックピン３３を指で押下し、摺動ロックピン３３の第２の突起部３３２を第２のロック座３２の第１の突起部３２７を越えさせ、ロックを示す第３の位置からアンロックを示す第４の位置へ移動させてから、第２のロック座３２を指で横方向へ移動させ、第２のロック座３２の第２のフック３２１が第１のロック座３１の第１のフック３１１から外れ、第２のロック座３２がロックを示す第１の位置からアンロックを示す第２の位置へ移動すると、上蓋体２が下蓋体１から完全にアンロックされて開くことが可能となる。
【００２４】
第２のロック座３２と下蓋体１の貫通槽１１との間には、第２の弾性部材３２４が配設されるため、第２のロック座３２に対して力を加えて横方向へ押動しない場合、第２のロック座３２は、第２の弾性部材３２４の弾性回復力により、アンロックを示す第２の位置からロックを示す第１の位置へ移動させると、ユーザは上蓋体２を押下して下蓋体１上に上蓋体２が被着される。
【００２５】
第１のロック座３１の第１の端部と、上蓋体２の収容室２１の内壁面との間には、第１の弾性部材２３が設けられ、第１のロック座３１の第２の端部は、枢軸２２を軸心として枢着回転させる弾性を有する。このため、ユーザが上蓋体２を押下すると、第１のロック座３１の第１のフック３１１が第２のロック座３２の第２のフック３２１の斜面により案内され、第２のフック３２１を容易に越えて掛合され、下蓋体１上に上蓋体２が被着される。これによって、第２のロック座３２に不用意に触れて上蓋体２が開いた状態となることを防ぎ、摺動ロックピン３３を上方へ押動し、摺動ロックピン３３の第２の突起部３３２が第２のロック座３２の第１の突起部３２７を越え、アンロックを示す第４の位置Ｓ４がロックを示す第３の位置Ｓ３へ移動するため、下蓋体１上に上蓋体２が被着され、ユーザが第２のロック座３２に誤って触れて上蓋体２が開いてしまうことを防ぐ。
【符号の説明】
【００２６】
１  下蓋体
２  上蓋体
３  ロック機構
４  出水座
１１  貫通槽
２１  収容室
２２  枢軸
２３  第１の弾性部材
３１  第１のロック座
３２  第２のロック座
３３  摺動ロックピン
４１  注ぎ口
１１１  位置決め凸部
３１１  第１のフック
３１２  凹溝
３２１  第２のフック
３２２  係合部
３２３  空間
３２４  第２の弾性部材
３２５  陥没槽
３２６  摺動溝
３２７  第１の突起部
３３１  爪部
３３２  第２の突起部
【図１】
0003205180.tif 000003
【図２】
0003205180.tif 000004
【図３】
0003205180.tif 000005
【図４】
0003205180.tif 000006
【図５】
0003205180.tif 000007
【図６】
0003205180.tif 000008
【図７】
0003205180.tif 000009
【図８】
0003205180.tif 000010
【図９】
0003205180.tif 000011
【図１０】
0003205180.tif 000012